(57)【要約】【課題】抗菌性のある薬液を微生物の繁殖し易い場所へ効果的に散布する。【解決手段】洗濯槽１に設置された抗菌ユニット７から抗菌作用のある亜鉛イオン含有水を洗濯槽１の回転する遠心力によって飛散し、前記洗濯槽１の外側、あるいは、水受槽４の内側に散布するようにしたものである。【選択図】  図２
2004321683.tif 000002
【特許請求の範囲】
【請求項１】
回転可能な洗濯槽と、前記洗濯槽を内包する水受槽と、抗菌剤の溶けた薬液とを備え、前記薬液は、前記洗濯槽の回転する遠心力によって飛散し、前記洗濯槽の外側あるいは前記水受槽の内側に散布するようにした洗濯機。
【請求項２】
衣類の脱水行程時に薬液を散布するようにした請求項１記載の洗濯機。
【請求項３】
洗濯槽が所定の回転速度以上になったときに薬液を散布するようにした請求項２記載の洗濯機。
【請求項４】
抗菌剤を収納する抗菌剤収納室と、前記抗菌剤収納室へ給水する給水手段を備え、前記抗菌剤収納室へ供給された水と抗菌剤が接触し、抗菌剤成分を水へ溶解させて薬液を生成するようにした請求項１記載の洗濯機。
【請求項５】
抗菌剤収納室を洗濯槽に設けた請求項４記載の洗濯機。
【請求項６】
所定量の水を貯留できる水貯留室を洗濯槽に備え、洗濯槽の回転する遠心力によって、前記水貯留室の水が抗菌剤収納室へ移送されるようにした請求項５記載の洗濯機。
【請求項７】
洗濯槽が所定の回転速度以上になったときに水貯留室の水を抗菌剤収納室へ移送するようにした請求項６記載の洗濯機。
【請求項８】
薬液が洗濯槽の回転する遠心力によって飛散し、洗濯槽の外側あるいは水受槽の内側に散布されたあと、薬液の一部が抗菌剤収納室に残留するようにした請求項４記載の洗濯機。
【請求項９】
抗菌剤を粒状にした請求項５記載の洗濯機。
【請求項１０】
抗菌剤は銅、銀、亜鉛またはそれらを含有する金属であり、抗菌剤収納室の内部に前記抗菌剤よりイオン化傾向の小さい金属を備えた請求項４に記載の洗濯機。
【請求項１１】
抗菌剤は銅、銀、亜鉛またはそれらを含有する金属であり、抗菌剤収納室の近傍の洗濯槽と、前記抗菌剤収納室の近傍で洗濯槽と異なる場所に各々磁性体を配し、前記洗濯槽が回転するときに両磁性体間の磁束の動きによって誘電される電位差を利用して、抗菌剤の金属の溶解を速めるようにした請求項５記載の洗濯機。
【請求項１２】
薬液が洗濯槽の回転する遠心力によって飛散し、前記洗濯槽の内部に散布されるようにした請求項３記載の洗濯機。
【発明の詳細な説明】
【０００１】
【発明の属する技術分野】
本発明は、微生物やカビが洗濯槽やその周辺に付着するのを防止する抗菌機能を備えた洗濯機に関するものである。
【０００２】
【従来の技術】
洗濯機を使用していると、洗濯槽の外側や水受槽の内側にカビや酵母などの微生物が繁殖し、それが剥がれて衣類に付着するという問題があった。この微生物は、洗剤や汚れ成分の残留物が部材表面に付着し、それを栄養源として繁殖したものである。
【０００３】
従来、漂白剤を主成分とする洗濯槽専用洗剤が市販されており、その洗剤を洗濯槽へ水とともに投入し、一定時間放置させたのち運転させると、付着した微生物を除去できるというものである。これは、漂白剤の殺菌作用と酸化作用によるものである。
【０００４】
また、洗濯機構成部材に抗菌物質を配合することにより、微生物の繁殖を防止する技術が公開されている（例えば、特許文献１参照）。この文献に記載されている手段は、構成部材の主材であるポリプロピレン樹脂に、２，３，５，６テトラクロロ４（メチルスルホニル）ピリジンを重量比で０．１％から２．０％の範囲で配合するものである。
【０００５】
また、水温を上昇させて殺菌する技術（例えば、特許文献２参照）、オゾンを発生させて殺菌する技術（例えば、特許文献３参照）、電気分解により次亜塩素酸を生成させて殺菌する技術（例えば、特許文献４参照）なども公開されている。
【０００６】
【特許文献１】
特許２８０１２５０号公報
【特許文献２】
特開平０２−３０２２９５号公報
【特許文献３】
特開２００１−８７５９０号公報
【特許文献４】
特開２００３−９８８号公報
【０００７】
【発明が解決しようとする課題】
しかしながら、市販されている洗濯槽専用洗剤は、多量に使用しなければ効果が無いという問題があった。なぜなら、部材表面をくまなく洗剤成分で覆うには、洗濯槽の最高水位まで水を注水せねばならず（数十リットルに及ぶ）、その多量の水の中で効果を発揮する濃度にするために、１回につき数百グラムを溶かさなければならない。これは資源の無駄遣い、水質環境への汚染、使用者への経済的負担など多くの問題を有するのである。また、この洗剤は一定期間ごとに使用する必要があり、そのたびに多量の洗剤を使用するとともに、手間が発生するという使用者への負担も見逃せないのであった。
【０００８】
また、上記特許文献１に開示されている方法では、十分な抗菌性能を発揮できないという課題を有する。部材表面に抗菌性能があったとしても、洗剤の溶け残りなどが部材表面に付着した場合、ある程度の厚みをもって付着するのである。何度か付着を繰り返しているうちに、洗剤の残留膜の界面（抗菌部材と接する面）と表面に距離がひらいてしまい、抗菌力が表面に及ばなくなって微生物が繁殖してしまうのである。また、長期間使用しているうちに部材表面の抗菌物質が滲出して無くなってしまうという問題もあった。
【０００９】
また、上記特許文献２から４に開示されている方法では、すべて殺菌のための装置が高価なもの、あるいは作動させるのに多くのエネルギーを必要としているので、不経済であるという問題があった。また、これら装置を設置するスペースを洗濯機内部に設けなければならず、洗濯機のサイズを大きくしてしまうという問題があった。
【００１０】
【課題を解決するための手段】
上記課題を達成するために本発明は、抗菌剤の溶けた薬液を洗濯槽の回転する遠心力によって飛散し、前記洗濯槽の外側あるいは前記水受槽の内側に散布するようにしたものである。
【００１１】
これにより、抗菌性のある薬液を微生物が繁殖する場所へ効果的に散布することができる。
【００１２】
【発明の実施の形態】
請求項１に記載の発明は、回転可能な洗濯槽と、前記洗濯槽を内包する水受槽と、抗菌剤の溶けた薬液とを備え、前記薬液は、前記洗濯槽の回転する遠心力によって飛散し、前記洗濯槽の外側あるいは前記水受槽の内側に散布するようにしたものであり、微生物が繁殖するのは主に、洗濯槽の外側および水受槽の内側、つまり、水の接する部分で、衣類との接触が無いところである。これらの場所は、回転する洗濯槽の中心から外側に位置しており、回転の遠心力を用いて抗菌性のある薬液を飛散させることで、効果的に微生物が繁殖する場所へ散布することができる。したがって、この構成によれば、水を最高水位まで注水する必要が無く、最小限の薬液の量だけで足りることになり、多量の薬剤を必要としない。また、散布は表面へされるので、洗剤の溶け残りの付着物全体に行き渡って効果が網羅的となる。
【００１３】
請求項２に記載の発明は、上記請求項１に記載の発明において、衣類の脱水行程時に薬液を散布するようにしたものであり、この後の行程に新たな水が注水されることがないので、薬液が洗われてしまうことがなく、抗菌効果を持続させることが可能となる。
【００１４】
請求項３に記載の発明は、上記請求項２に記載の発明において、洗濯槽が所定の回転速度以上になったときに薬液を散布するようにしたものであり、脱水行程時の任意のタイミングで洗濯槽を前記回転速度以上に回転数を上げて、薬液を飛散させるものである。脱水行程時には衣類に含まれた水も遠心力によって飛散しているので、これと同時に薬液を飛散させれば、衣類から出た水と混ざり合い、薬液が薄まってしまって抗菌性能が落ちてしまうが、上記の構成とすることによって、ある程度衣類から出る水が飛散した後なので、薬液が薄まることなく抗菌性能が維持される。
【００１５】
請求項４に記載の発明は、上記請求項１に記載の発明において、抗菌剤を収納する抗菌剤収納室と、前記抗菌剤収納室へ給水する給水手段を備え、前記抗菌剤収納室へ供給された水と抗菌剤が接触し、抗菌剤成分を水へ溶解させて薬液を生成するようにしたものであり、抗菌剤を収納する抗菌剤収納室を設けているので、この抗菌剤収納室にあらかじめ抗菌剤を入れておけば、その抗菌剤が全量溶解してなくなってしまうまでの間は、あらたに薬液や抗菌剤を供給する手間が省けて使い勝手がよいのである。
【００１６】
請求項５に記載の発明は、上記請求項４に記載の発明において、抗菌剤収納室を洗濯槽に設けたものであり、洗濯槽の回転とともに抗菌剤収納室も回転することになるので、たとえ溶解しにくい抗菌剤が収納されていても、回転の攪拌により溶解しやすくなる。つまり、投入する抗菌剤を選定する際、より多くの選択肢を持つことができるので、高い抗菌性能を発揮する潜在性が増すのである。
【００１７】
請求項６に記載の発明は、上記請求項５に記載の発明において、所定量の水を貯留できる水貯留室を洗濯槽に備え、洗濯槽の回転する遠心力によって、前記水貯留室の水が抗菌剤収納室へ移送されるようにしたものであり、水貯留室と抗菌剤収納室が洗濯槽に設置しているだけで、あと水貯留室への給水手段を有すればよい。給水手段は洗濯やすすぎをするために既に設置されているものなので、この構成は非常に簡単な複雑な装置を必要としないといえる。つまり低コスト省スペースで抗菌性能を発揮できるのである。
【００１８】
請求項７に記載の発明は、上記請求項６に記載の発明において、洗濯槽が所定の回転速度以上になったときに水貯留室の水を抗菌剤収納室へ移送するようにしたものであり、任意のタイミングで洗濯槽を前記回転速度以上に回転数を上げて、水貯留室の水を抗菌剤収納室へ移送することができ、抗菌剤収納室への水の供給と、水で抗菌剤が溶けて薬液となって抗菌剤収納室から出て行くまでの時間を制御できるようになる。つまり、あらかじめ抗菌剤の水への溶解速度がわかっていれば、薬液の濃度を制御できるということであり、抗菌剤を過不足なく利用できるので、非常に経済的であるといえる。
【００１９】
請求項８に記載の発明は、上記請求項４に記載の発明において、薬液が洗濯槽の回転する遠心力によって飛散し、洗濯槽の外側あるいは水受槽の内側に散布されたあと、薬液の一部が抗菌剤収納室に残留するようにしたものであり、一部残留した水は次回の洗濯時までそこに留まることになり、場合によっては数十時間滞留するので、抗菌剤が十分溶解する時間があるということである。つまり、水に溶けにくい抗菌剤を選択することが可能となり、高い抗菌性能を発揮する潜在性が増すのである。
【００２０】
請求項９に記載の発明は、上記請求項５に記載の発明において、抗菌剤を粒状にしたものであり、抗菌剤の表面積が大きいうえに、回転による攪拌で粒子同士が衝突しあって、より抗菌剤が水に溶けやすくなるのである。つまり、水に溶けにくい抗菌剤を選択することが可能となり、高い抗菌性能を発揮する潜在性が増すのである。
【００２１】
請求項１０に記載の発明は、上記請求項４に記載の発明において、抗菌剤は銅、銀、亜鉛またはそれらを含有する金属であり、抗菌剤収納室の内部に前記抗菌剤よりイオン化傾向の小さい金属を備えたものであり、上記金属はイオンとして溶け出せば微量でも抗菌性能を発揮するが、溶解速度はきわめて小さいのでなかなか溶けにくい。この発明によって、異種の金属の電位差が原因で流電陽極がおこり、イオン化傾向の小さい金属がイオンとなって溶け出ることになるので、溶けにくい上記の金属でも高い抗菌性能を発揮させることができる。
【００２２】
請求項１１に記載の発明は、上記請求項５に記載の発明において、抗菌剤は銅、銀、亜鉛またはそれらを含有する金属であり、抗菌剤収納室の近傍の洗濯槽と、前記抗菌剤収納室の近傍で洗濯槽と異なる場所に各々磁性体を配し、前記洗濯槽が回転するときに両磁性体間の磁束の動きによって誘電される電位差を利用して、抗菌剤の金属の溶解を速めるようにしたものであり、溶けにくい上記の金属でも高い抗菌性能を発揮させることができる。
【００２３】
請求項１２に記載の発明は、上記請求項３に記載の発明において、薬液が洗濯槽の回転する遠心力によって飛散し、前記洗濯槽の内部に散布されるようにしたものであり、洗濯槽の内部にある衣類にも散布されることから、衣類にも抗菌剤が残り、衣類を干すときや着るときに微生物が繁殖しにくくなって、防臭効果も期待できるのである。
【００２４】
【実施例】
以下、本発明の実施例について図面を参照しながら説明する。
【００２５】
（実施例１）
図１〜図３において、１は略円筒形の洗濯槽で、この底部に設けたパルセータ２の攪拌によって衣類は洗濯される。このパルセータ２をモータユニット３で回転させ、内部のクラッチ機構（図示せず）の切り換えにより、洗濯槽１を高速回転させて衣類の脱水をおこなうことができる。４は略円筒形の水受槽で、洗濯槽１をその内部に回転自在に収容している。洗濯槽１には脱水穴８が複数個開いているので注水された水は水受槽４において貯められる。水は注水口５から注水される。
【００２６】
６は洗濯槽１の上方に開閉自在に設けた蓋で、使用者はここから洗濯槽１への衣類の投入と取り出しをおこなう。７は抗菌剤の溶けた薬液を生成する抗菌ユニットで、洗濯槽１の上部の周縁に沿って環状に設けられている。洗濯槽１の周壁には水が通過する脱水穴８を多数開けてあり、衣類の脱水時にはこの穴より脱水された水が水受槽４へ飛散されていく。長期に使用していると、カビや酵母などが繁殖してくるのは、洗濯槽１の外側および水受槽４の内側である。抗菌ユニット７の回転中心は図２において右側にある。したがって、抗菌ユニット７の左側ほど回転の外側である。水受槽４や注水口５などは回転しない。
【００２７】
抗菌ユニット７は、洗濯槽１の回転中心に近い内側に略垂直に設けた仕切板ａ２１と、この仕切板ａ２１より洗濯槽１の回転中心に対し外側に位置して下方に向かって延設した仕切板ｂ２２と、この仕切板ｂ２２の下端との間に間隔を有してその下方に位置し、上部が仕切板ｂ２２より洗濯槽１の回転中心の外側に位置するように傾けた傾斜部２３ａを有する仕切板ｃ２３と、この仕切板ｃ２３の同じく外側に位置して仕切板ｃ２３の傾斜部２３ａと略同角度に傾斜し、下端を傾斜部２３ａの上端より下方に位置するように形成した仕切板ｄ２４と、この仕切板ｄ２４の同じく外側に位置して仕切板ｃ２４と略同角度に傾斜した仕切板ｅ２５と、この仕切板ｅ２５の上端との間に間隔を有して同じくその外側に配設した仕切板ｆ２６と、この仕切板ｆ２６の内側に仕切板ｅ２５と略同角度で下向きに傾斜した仕切板ｇ２７と、この仕切板ｇ２７の下方に位置して仕切板ｇ２７と略同角度に傾斜した仕切板ｈ２８と、仕切板ｇ２７との間に間隔を有してその下方に位置し、仕切板ｇ２７と略同角度で下向きに傾斜してその下端を洗濯槽１内に突出させた仕切板ｉ２９などを有している。
【００２８】
抗菌ユニット７の内部には、注水口５の下方に位置し仕切板ａ２１と仕切板ｃ２３にはさまれた上方開放の水貯留室９、仕切板ｂ２２と仕切板ｄ２４にはさまれた第一遠心室１０、仕切板ｃ２３と仕切板ｅ２５にはさまれた抗菌剤収納室１１、仕切板ｆ２６の上部と仕切板ｇ２７にはさまれた第二遠心室１２、仕切板ｇ２７と仕切板ｈ２８にはさまれた第三遠心室１３などの空間がある。また、第三遠心室１３に上端が入り込んだ形で仕切板ｉ２９が設けられ、仕切板ｈ２８の下方には仕切板ｈ２８との間に間隔を有して洗濯槽１の外面側に仕切板ｊ３０が設けられている。
【００２９】
抗菌剤収納室１１には、亜鉛粒１４が複数個入れられており、ステンレス板１５に接触している。また、抗菌剤収納室１１には前回の洗濯のときに残った水（残留水１６）があり、亜鉛粒１４を浸している。なぜ残留水１６が残っているかは後述する。
【００３０】
次に、上記構成における動作を説明する。使用者は衣類を洗濯槽１の内部（図２においては右側の空間）に投入した後、洗剤を入れ、所望の洗濯コースを設定して洗濯機を運転させる。通常、洗濯機の運転は、洗浄行程とすすぎ行程と脱水行程がある。
【００３１】
洗浄工程のときは、注水口５より水が注水され、水位センサ（図示せず）などで所定の量が洗濯槽１および水受槽４に入る。そして、パルセータ２の回転により衣類を所定時間攪拌洗いした後、水を排水し、洗濯槽１を回転させて衣類の中に残った水を脱水させ脱水穴８から水を飛ばす。
【００３２】
次に、すすぎ行程に入る。すすぎは通常１〜３回おこなわれ、２回が一般的である。すすぎのときも、注水口５より水が注水され、攪拌、排水などを繰り返す。最終のすすぎ行程で内部の水が排水された後が脱水行程である。
【００３３】
この脱水行程に入るとき、図４のように抗菌ユニット７内の水貯留室９には水が入っている。上部の注水口５より水が入り（オーバーフローした分は洗濯槽１へ注がれている）、仕切板ａ２１の高さを仕切板ｃ２３より低くしているので、抗菌剤収納室１１へ水は入っていない。
【００３４】
また、この時点以前まで（洗濯行程やすすぎ行程）にも洗濯槽１は何度か回転しているが、その回転する遠心力で水貯留室９内の水が仕切板ｃ２３を超えないように、その回転数および仕切板ｃ２３の長さと角度を設定しているのである。この回転数や仕切板ｃ２３の長さと角度は、洗濯槽１の大きさや水貯留室９の容量によって変わるので、本実施例では特に具体的な数値を挙げて特定しない。
【００３５】
まず、脱水行程の最初の段階では、洗濯槽１を水貯留室９内の水が仕切板ｃ２３を超えない回転数で回転させ、衣類に含まれた水を脱水穴８から飛ばす。これである程度衣類中の水を脱水する。その後、これまでより高速に回転して、水貯留室９内の水を回転の遠心力で外側へ押し出し、仕切板ｃ２３を超え、第一遠心室１０に入れる。このときの様子を表したのが図５である。
【００３６】
次に、洗濯槽１の回転数を落とすか、あるいは、停止させると、水は第一遠心室１０から抗菌剤収納室１１へと落ちる。その状態を表したのが図６である。
【００３７】
このとき、水は残留していた水と混ざり合うのである。この図３などにおける残留水１６は、前回の洗濯から今回の洗濯をおこなうまでの時間、亜鉛粒１４が浸漬されていたので、亜鉛粒１４より亜鉛イオンが溶け出しているのである。また、この亜鉛粒１４はステンレス板１５と触れ合っていたので、イオン化傾向の差異より、電位差がこの場合０．８Ｖ生じ、より亜鉛イオンが溶け易くなっているのである。
【００３８】
また、今回の洗濯行程およびすすぎ行程で何回か洗濯槽１が回転しているので、亜鉛粒１４がお互い擦れ合って、さらに亜鉛イオンが溶けやすくなっている。このように抗菌剤収納室１１に入った水は亜鉛イオンが高濃度になって存在しているのである。
【００３９】
次に、洗濯槽１をさらに回転させる。このとき、抗菌剤収納室１１の水は回転による遠心力で外側へ押し出され、仕切板ｅ２５を超え、第二遠心室１２に入ろうとする。このとき、抗菌剤収納室１１に入る水の量を、第二遠心室１２と第三遠心室１３に入る水の量より多く設定しておく。すると、抗菌剤収納室１１から押し出された水は第二遠心室１２に入り、あふれる分が仕切板ｇ２７を超え、第三遠心室１３に入り、さらにあふれる分が仕切板ｈ２８を超え、洗濯槽１の外側へ飛び出し、回転しながら水受槽４の内面に散布されることになる。
【００４０】
この様子を表したのが図７である。飛散した水は仕切板ｈ２８の角度によっては、上部の方まで散布することが可能であるので、水受槽４の上部全体をくまなく亜鉛イオンの含んだ水を散布することになる。この水は、徐々に水受槽４表面を伝って流下していき、水受槽４の内側全体を亜鉛イオンの含んだ水で被膜させることができるのである。
【００４１】
また、あらかじめ脱水行程の最初の段階で衣類中の水分をある程度脱水しているので、亜鉛イオンの含んだ水が衣類から出てくる水と混ざり合って、その濃度が薄まったり、散布された亜鉛イオンの水を洗い落としてしまったりすることがない。
【００４２】
このとき、仕切板ｅ２５は、窪み２５ａを有しているので、亜鉛粒１４は図７のように窪み２５ａに入って外側には出て行かないようにしている。また、亜鉛粒１４とともに一部の水がこの窪み２５ａに入り、出て行かず残留水１６として残り、次回の洗濯時に使用されるのである。
【００４３】
次に、洗濯槽１の回転数を徐々に落としていくと、第三遠心室１３に入っていた水は、遠心力がなくなっていくので、流下して仕切板ｊ３０にかかり、洗濯槽１の外側の壁を伝って下方へ落ちていくのである。このとき、回転しながら落ちていくので洗濯槽１の外側全体を亜鉛イオンの含んだ水で被膜させることができるのである。そして、抗菌剤収納室１１には残留水１６が残り、次回の洗濯までの間、徐々に亜鉛粒１４より亜鉛イオンが溶け出して、高濃度化を促進させているのである。
【００４４】
一方、第二遠心室１２に入っていた水も、遠心力がなくなっていくので、流下して仕切板ｉ２９にかかり、洗濯槽１の内部の衣類へ散布される。このあと、もう一度洗濯槽１を回転させれば衣類の余分な水を脱水することができる。これらの様子を表したのが図８である。
【００４５】
以上のように本実施例のような構成にすれば、微生物の繁殖し易い水受槽４の内側や、洗濯槽１の外側をくまなく抗菌性のある薬液（この場合は亜鉛イオン水）で被覆することができるのである。また、衣類へも薬液が散布されているので、衣類の抗菌化すなわち防臭処理も可能となる。
【００４６】
なお、亜鉛粒１４の近傍に磁石を配置し、一方では水受槽４などの回転しない場所で抗菌ユニット７にできるだけ近い場所にも磁石を配置して、二つの磁石で抗菌剤収納室１１を挟むように配置すれば、洗濯槽１が回転するときにこれら二つの磁石間に誘電電位が発生し、亜鉛粒１４の溶解が促進されて高濃度化がすすむので有効な方法である。
【００４７】
本実施例では、溶解しにくい亜鉛を用いているので各種高濃度化を促進させる方法（抗菌剤を粒状にする、抗菌剤収納室に水を残す、イオン化傾向の違う金属を接触させる、磁石を用いる等）が効果的となる。逆に溶解し易い抗菌剤の場合は、粒状にせず表面積を小さくし、できるだけ抗菌剤収納室に水を残さないなどの最適化が必要である。
【００４８】
また、抗菌剤として、本実施例で挙げた亜鉛以外に、銅や銀、トリクロサン、オクチルチアゾリン、塩素化イソシアヌル酸など用いてもよいが、それぞれ抗菌性能を発揮する濃度が違うので、その濃度にあわせ、各種の設定を考慮すべきであるが、本発明はそれら具体的な設定値について特定するものではない。
【００４９】
また、本実施例のような、水や亜鉛粒が入ったリング状の容器が洗濯槽上部に設置されている構成は、洗濯槽の脱水回転のとき、衣類の偏りから生じる回転重心のずれを、リング状容器中の水と亜鉛粒が流動して補正するという、バランス維持機能も副次的に備えているのである。
【００５０】
なお、抗菌ユニット内の亜鉛粒などの抗菌剤を洗濯槽内に設ける必要はなく、別の場所で薬液を生成させ、あるいは貯留しておき、洗濯槽に供給し、遠心力で本実施例のように飛散させ散布させてもよい。
【００５１】
【発明の効果】
以上のように本発明によれば、微生物の繁殖し易い場所に抗菌剤の溶けた薬液を飛散散布させることができ、必要最小限の量の抗菌剤で、安価で簡便、環境に配慮した抗菌処理をおこなうことができる。
【図面の簡単な説明】
【図１】本発明の実施例１の洗濯機の模式的断面図
【図２】同洗濯機の要部断面図
【図３】同洗濯機の抗菌ユニット部分の拡大断面図
【図４】同洗濯機の抗菌ユニット内の水等の動作を示した断面図
【図５】同洗濯機の抗菌ユニット内の水等の動作を示した断面図
【図６】同洗濯機の抗菌ユニット内の水等の動作を示した断面図
【図７】同洗濯機の抗菌ユニット内の水等の動作を示した断面図
【図８】同洗濯機の抗菌ユニット内の水等の動作を示した断面図
【符号の説明】
１  洗濯槽
２  パルセータ
３  モータユニット
４  水受槽
５  注水口
６  蓋
７  抗菌ユニット
８  脱水穴
９  水貯留室
１０  第一遠心室
１１  抗菌剤収納室
１２  第二遠心室
１３  第三遠心室
１４  亜鉛粒
１５  ステンレス板
１６  残留水
２１  仕切板ａ
２２  仕切板ｂ
２３  仕切板ｃ
２４  仕切板ｄ
２５  仕切板ｅ
２６  仕切板ｆ
２７  仕切板ｇ
２８  仕切板ｈ
２９  仕切板ｉ
３０  仕切板ｊ
【図１】
2004321683.tif 000003
【図２】
2004321683.tif 000004
【図３】
2004321683.tif 000005
【図４】
2004321683.tif 000006
【図５】
2004321683.tif 000007
【図６】
2004321683.tif 000008
【図７】
2004321683.tif 000009
【図８】
2004321683.tif 000010